(57)【要約】【課題】  携帯端末から樹木、葉、花及び実の情報を、提供される選択肢や位置情報、季節情報から植物テーブルを絞り込むことによって植物を特定して検索する、植物検索システムを提供する。【解決手段】  サーバが選択肢を作成する選択肢作成手段と、前記選択肢を前記携帯端末に対して送信するサーバ側送受信手段とを有し、携帯端末が、前記選択肢を表示する表示手段と、表示された前記選択肢に基づいて選択入力を受け付ける入力手段と、前記選択肢が選択された選択情報を前記サーバに対して送信する携帯端末側送受信手段とを有し、前記サーバがさらに、前記選択情報に基づいて前記データベース内の植物テーブルから該当する植物データの絞り込みを行う絞り込み手段と、前記植物データを前記データベースから読み出す植物データ読み出し手段とを有し、前記表示手段が前記植物データの表示を行う。【選択図】  図１
2006139703.tif 000002
【特許請求の範囲】
【請求項１】
検索の際に利用される各植物の特徴である植物テーブルと各植物の画像データとを記憶しているデータベースを含むサーバと、ユーザが所有するユーザ端末とが電子通信手段を介して接続された植物検索システムであって、
前記サーバが、
樹木情報、葉情報、花情報及び実情報のそれぞれについて選択肢を作成する選択肢作成手段と、
前記選択肢を前記ユーザ端末に対して送信するサーバ側送受信手段とを有し、
前記ユーザ端末が、
前記選択肢を表示する表示手段と、
表示された前記選択肢に基づいて選択入力を受け付ける入力手段と、
前記選択肢が選択された選択情報を前記サーバに対して送信するユーザ端末側送受信手段とを有し
前記サーバがさらに、
前記選択情報に基づいて前記データベース内の植物テーブルから該当する植物データの絞り込みを行う絞り込み手段と、
前記植物データを前記データベースから読み出す植物データ読み出し手段とを有し、
前記表示手段が前記植物データの表示を行うことを特徴とする植物検索システム。
【請求項２】
前記樹木情報は、少なくとも樹高、落葉・常緑の情報、冬芽・頂芽情報及びとげ情報である請求項１に記載の植物検索システム。
【請求項３】
前記葉情報は、少なくとも葉形、つき方、縁の形、落葉・常緑、観葉期の情報である請求項１または２に記載の植物検索システム。
【請求項４】
前記花情報は、少なくとも花色、花つき方及び花期の情報である請求項１乃至３のいずれかに記載の植物検索システム。
【請求項５】
前記実情報は、少なくとも実形、実色及び果実期の情報である請求項１乃至４のいずれかに記載の植物検索システム。
【請求項６】
前記データベースがさらに、前記選択肢毎に用意された簡易な説明図である図形データを有し、前記選択肢作成手段が対応する前記図形データを含めて前記選択肢を作成する請求項１乃至５のいずれかに記載の植物検索システム。
【請求項７】
前記ユーザ端末がさらに、年月日データを計測する時計手段を有し、前記絞り込み手段が前記年月日データから前記観葉期、花期及び果実期を前記植物テーブルから絞り込む請求項１乃至６のいずれかに記載の植物検索システム。
【請求項８】
前記ユーザ端末がさらに、位置情報を測定する位置情報測定手段を有し、前記絞り込み手段が前記位置情報から前記植物テーブルの絞り込みを行う請求項１乃至７のいずれかに記載の植物検索システム。
【請求項９】
前記画像データがさらに、代表的な樹皮、花及び葉の画像を有し、前記選択肢作成手段が前記樹皮、花及び葉の画像を用いて選択肢を作成する請求項１乃至８のいずれかに記載の植物検索システム。
【請求項１０】
前記ユーザ端末から不明植物データである旨の入力があった際に、絞り込みが行われた前記植物テーブルを不明植物データとして記憶する不明植物データ登録手段を前記サーバが有する請求項１乃至９のいずれかに記載の植物検索システム。
【発明の詳細な説明】
【技術分野】
【０００１】
本発明は、植物検索システムに関し、特に実際の植物に基づいて、簡易な選択肢に回答することにより、その植物データを容易に取得することが可能な植物検索システムに関する。
【背景技術】
【０００２】
現在、道路や山道、野原など至る所で植物を見ることができる。しかしながら、これらの植物がどのような植物であるのかを把握するためには、図鑑等を調べてその特徴から地道に検索する必要があった。
【０００３】
一方、カメラ付きユーザ端末やデジタルカメラの普及により、デジタル画像として植物を撮影し、検索するシステムが考案されている。
【０００４】
[特許文献１]は、花と葉のデジタル画像より、クラスタリング法を用いて対象物である花と葉の画像を抽出し、その抽出された花と葉の画像より得られる情報を特徴量としている。予めデータベースに登録してある各種の植物の特徴量とを統計的手法を用いて解析して野草の種類を判別している。また、認識結果では正しい１つの野草名称を得るシステムや、類似の数個を画面に表示し、最終的には人の目による認識を行うシステムを構成し、その認識結果をもとに野草の種類や、植物辞典に掲載されているような情報を表示することもできる、というものである。
【特許文献１】特開２００２−２０３２４２号公報
【発明の開示】
【発明が解決しようとする課題】
【０００５】
しかしながら、花や葉は群生していることが多く、通常撮影ではどの花または葉が検索対象であるのかをシステムに識別させるのは難しい。また、花や葉は３次元立体構造であるため、通常撮影では影ができてしまい正確な形状をシステムが判定するのは難しい。このため、[特許文献１]では「人間が明らかに花と葉を認識できる顕花植物であり、花が咲いている時期に撮影すること」、及び「ある一つの野草から花と葉を採取し、それぞれ黒色布地（又は画用紙）上の中央付近に位置させ撮影する」（いずれも[特許文献１]、段落[０００７]の記載）必要がある。
【０００６】
そこで本発明の目的は、上記問題点に鑑み、ユーザ端末から樹木、葉、花及び実の情報を、提供される選択肢や位置情報、季節情報から植物テーブルを絞り込むことによって植物を特定して検索する、植物検索システムを提供する。
【課題を解決するための手段】
【０００７】
本発明は、植物検索システムに関し、特に実際の植物に基づいて、簡易な選択肢に回答することにより、その植物データを容易に取得することが可能な植物検索システムに関し、本発明の上記目的は、検索の際に利用される各植物の特徴である植物テーブルと各植物の画像データとを記憶しているデータベースを含むサーバと、ユーザが所有するユーザ端末とが電子通信手段を介して接続された植物検索システムであって、前記サーバが、樹木情報、葉情報、花情報及び実情報のそれぞれについて選択肢を作成する選択肢作成手段と、前記選択肢を前記ユーザ端末に対して送信するサーバ側送受信手段とを有し、前記ユーザ端末が、前記選択肢を表示する表示手段と、表示された前記選択肢に基づいて選択入力を受け付ける入力手段と、前記選択肢が選択された選択情報を前記サーバに対して送信するユーザ端末側送受信手段とを有し前記サーバがさらに、前記選択情報に基づいて前記データベース内の植物テーブルから該当する植物データの絞り込みを行う絞り込み手段と、前記植物データを前記データベースから読み出す植物データ読み出し手段とを有し、前記表示手段が前記植物データの表示を行うことによって達成される。
【０００８】
また、本発明の上記目的は、前記樹木情報は、少なくとも樹高、落葉・常緑の情報、冬芽・頂芽情報及びとげ情報であることにより、或いは前記葉情報は、少なくとも葉形、つき方、縁の形、落葉・常緑、観葉期の情報であることにより、或いは前記花情報は、少なくとも花色、花つき方及び花期の情報であることにより、或いは前記実情報は、少なくとも実形、実色及び果実期の情報であることにより、或いは前記データベースがさらに、前記選択肢毎に用意された簡易な説明図である図形データを有し、前記選択肢作成手段が対応する前記図形データを含めて前記選択肢を作成することにより、或いは前記ユーザ端末がさらに、年月日データを計測する時計手段を有し、前記絞り込み手段が前記年月日データから前記観葉期、花期及び果実期を前記植物テーブルから絞り込むことにより、或いは前記ユーザ端末がさらに、位置情報を測定する位置情報測定手段を有し、前記絞り込み手段が前記位置情報から前記植物テーブルの絞り込みを行うことにより、或いは前記画像データがさらに、代表的な樹皮、花及び葉の画像を有し、前記選択肢作成手段が前記樹皮、花及び葉の画像を用いて選択肢を作成することにより、或いは前記ユーザ端末から不明植物データである旨の入力があった際に、絞り込みが行われた前記植物テーブルを不明植物データとして記憶する不明植物データ登録手段を前記サーバが有することによって、より効果的に達成される。
【発明の効果】
【０００９】
本発明は、サーバから提供される選択肢から、検索対象の樹木、葉、花又は実の情報を選択することにより、検索対象がどの植物であるのかを簡易に検索可能にしている。
【００１０】
多面的に一つの植物を検索することから、より正確な植物データに絞り込むことが可能であり、同時にその図形及び画像も提供されることから、提供された植物データが検索対象と異なっている場合にも容易に気が付くことができる。
【００１１】
植物にはさまざまな亜種や、非常に類似した形状・容姿を持つものが多数存在する。ユーザ端末が有する時計手段及び位置情報測定手段を補助的に利用することで、より絞り込みが可能となっている。
【００１２】
一方で、植物には次々と新種が発見されており、検索不可能であった検索対象の植物テーブルをサーバ側に蓄積することで、新種の発見においても大きな貢献をする。
【００１３】
これら一連の検索の中で、図形と写真とを使い分けていることにより、ユーザの理解補助を行っているだけでなく、送受信を行う情報量の少量化に成功している。
【００１４】
後述する実施例では、植物データが提供される植物テーブルの絞込み数を１０項目と定義しているが、選択肢に絡めて図形データのやり取りが行われることにより、短時間に到達することが可能となっている。
【発明を実施するための最良の形態】
【００１５】
本発明は、サーバ内のデータベースに植物テーブルを有し、ユーザ端末から受信する選択肢に基づいて、植物テーブルから植物データを絞り込んでユーザ端末に該当する植物データを返すシステムである。
【００１６】
以下、図面を用いて説明する。
【００１７】
図１は、本発明に係る全体構成図及びサーバ、ユーザ端末の内部構成の一例である。
【００１８】
本発明である植物検索システムは、サーバ１とユーザ端末２１…２ｎとが電子通信手段を介して接続されている構成を有する。
【００１９】
サーバ１は、植物テーブル、植物データ及び図形データを記憶しているデータベース１０と、植物検索を行うための選択肢を作成する選択肢作成手段１１と、ユーザ端末２１…２ｎにおいて選択された選択肢に基づいて植物テーブルの絞り込みを行う絞り込み手段１２と、データベース１０から植物データの読み出しを行う植物データ読み出し手段１３と、ユーザ端末２１…２ｎとデータの送受信を行うサーバ側送受信手段１４と、受信した画像を元に植物データの検索を行う画像検索手段１５と、検索後も合致しない植物についての情報を一時記憶及びデータベースに新規登録する不明植物データ登録手段１６とから構成されている。
【００２０】
植物テーブルとは、各植物の特徴をテーブル化したデータであり、各植物毎に樹高、葉形、葉のつき方等がそれぞれ記憶されている。植物データとは、各植物の説明及び画像データであり、別名、科／属名、名前の由来等がそれぞれ記憶されている。図形データとは、後述する選択肢ごとに用意されている各選択肢の簡易な説明図と、代表的な樹皮、花、葉の簡易な説明図である。
【００２１】
なお、絞り込み手段１２は植物テーブルの絞り込み結果数についても監視している。また、後述する絞り込み検索を選択肢の入力毎に行う場合には、検索結果である絞り込みされた植物データを一時記憶するメモリ等（図示しない）を、サーバ１内部に有しているのが望ましい。
【００２２】
ユーザ端末２１…２ｎは、画像や文章をユーザ端末２１…２ｎの画面上に表示する表示手段２０と、ユーザ端末２１…２ｎへデータの入力が行われる入力手段２１と、年月日データを計測する時計手段２２と、ユーザ端末２１…２ｎの位置を測定する位置測定手段２３と、サーバ１とデータの送受信を行うユーザ端末側送受信手段２４と、カメラ等により植物画像を撮影する撮影手段２５とから構成されている。
【００２３】
ここでユーザ端末２１…２ｎは、携帯電話、ＰＤＡ、その他携帯性のあるものであれば、電子通信手段が利用できる限り屋外においても利用できる点から、より好ましい。もちろん、デスクトップパソコン等、サーバ１と電子通信手段を介して接続できる端末であれば限定しない。
【００２４】
図２は、サーバ内のデータベースに含まれる植物テーブル及び植物データの項目図の一例である。
【００２５】
また、図３は植物テーブルの一例、図４〜図７は植物データの一例、図８は図形データの一例である。
【００２６】
前述したように、植物テーブルは検索の際に利用される各植物の特徴であり、植物データはユーザ端末２１…２ｎに最終的に送信される各植物の説明及び画像データである。また、図形データは選択肢ごとの理解が容易であるように用意された図形である。
【００２７】
植物テーブルは、大項目として樹木情報、葉情報、花情報、実情報とがある。
【００２８】
樹木情報は、樹高として大高木、高木、小高木、低木、小低木とがあり、種類として常緑針葉樹、落葉針葉樹、常緑広葉樹、落葉広葉樹とがあり、冬芽・頂芽として冬芽開出、冬芽やや開出、冬芽伏生、頂芽やや小さい、頂芽同形、頂芽やや大及び頂芽大とがあり、とげとして茎針、葉針、托葉針、針状突起及び剛毛針とがある。
【００２９】
葉情報は、葉形として不分裂葉、分裂葉、掌状複葉、羽状複葉、針状葉、鱗状葉、特殊とがあり、つき方として互生、対生、束状、羽状とがあり、縁の形として鋸葉縁、全縁とがあり、葉脈として平行脈、３行脈、５以上掌状脈及び羽状脈とがあり、落葉・常緑として落葉樹・常緑樹とがあり、さらにそれぞれの植物の観葉期が付されている。
【００３０】
花情報は、花色として桃色、赤色、紫・青色、緑色、黄・橙色、白色、その他花色とがあり、花つき方として総状花序、集散花序、散房花序、散形花序、円錐花序、複散房花序とがあり、さらに花期が付されている。
【００３１】
実情報は、実形として丸型、卵形、豆形、マツカサ形、ドングリ形、ツバサ形、その他実形とがあり、実色として赤色、黄色、緑色、紫・青色、茶色、黒色とがあり、さらにそれぞれの植物の果実期が付されている。
【００３２】
これらの情報は、植物テーブルにおいてそれぞれの植物毎にいずれかが付されており、後述する選択された選択肢において絞り込みが行われる際に利用される。
【００３３】
植物データは、植物の名称、別名／属名、名前の由来、特徴及び付帯情報等がそれぞれの植物に対して記憶されている。なお、植物データに記憶されているデータは、植物テーブルに記憶されている情報と重複していても構わない。この植物データは、絞り込みが行われた後に、ユーザ端末２１…２ｎに対して詳細な植物データとしてユーザ端末２１…２ｎに送信され、表示手段２０において確認される。
【００３４】
付帯情報は、分布地域／標高、地域特性／土質等、植物データの撮影年月日、ＧＰＳ情報等であり、絞り込み検索時に利用される。
【００３５】
図形データは、上記選択肢がユーザ端末２１…２ｎに送信される際に各選択がどんな状態の要素を指すのか理解を助ける為にそれぞれ用意されている。
【００３６】
図９〜１１は、本システムの動作を示すフローチャートの一例である。
【００３７】
なお、図１２はユーザ端末２１…２ｎに表示される選択画面の一例である。
【００３８】
植物は葉情報において分類するのがもっとも効率的かつわかりやすい分類方法である。本システムにおいても、まず葉情報を利用して絞り込みを行う。
【００３９】
まず、選択肢作成手段１１は、「葉形」についての選択肢を作成しユーザ端末２１…２ｎに対して送信する（ステップＳ１０１）。「葉形」の選択肢は、前述した「不分裂葉」、「分裂葉」、「掌状複葉」、「羽状複葉」、「針状葉」、「鱗状葉」及び「特殊」である。選択肢作成手段１１はこれら選択肢及びデータベース１０に記憶されている「葉形」に分類されている図形データを含むＷｅｂページを作成し、ユーザ端末２１…２ｎに送信する。
【００４０】
このＷｅｂページを受信したユーザ端末２１…２ｎではこのＷｅｂページが表示手段２０にて表示されると共に、該当する選択肢が入力手段２１を利用して選択され、選択情報としてユーザ端末側送受信手段２４及びサーバ側送受信手段１４を介してサーバ１に返信される（ステップ１０２）。サーバ１では、この選択情報に基づいて、絞り込み手段１２がデータベース１０内の植物テーブルから該当するデータを有する植物テーブルを絞り込み、メモリ（図示しない）に記憶する（ステップＳ１０３）。
【００４１】
次に、選択肢作成手段１１は、「つき方」についての選択肢を作成しユーザ端末２１…２ｎに対して送信する（ステップＳ１０４）。「つき方」の選択肢は、前述した「互生」、「対生」、「束状」及び「羽状」である。選択肢作成手段１１はこれら選択肢及びデータベース１０に記憶されている「つき方」に分類されている図形データを含むＷｅｂページを作成し、ユーザ端末２１…２ｎに送信する。
【００４２】
このＷｅｂページを受信したユーザ端末２１…２ｎではこのＷｅｂページが表示手段２０にて表示されると共に、該当する選択肢が入力手段２１を利用して選択され、選択情報としてユーザ端末側送受信手段２４及びサーバ側送受信手段１４を介してサーバ１に返信される（ステップ１０５）。サーバ１では、この選択情報に基づいて、絞り込み手段１２がメモリ（図示しない）に記憶されている植物テーブルから該当するデータを有する植物テーブルを絞り込み、メモリ（図示しない）に記憶する（ステップＳ１０６）。
【００４３】
次に、選択肢作成手段１１は、「縁の形」についての選択肢を作成しユーザ端末２１…２ｎに対して送信する（ステップＳ１０７）。「縁の形」の選択肢は、前述した「鋸葉縁」、「全縁」である。選択肢作成手段１１はこれら選択肢及びデータベース１０に記憶されている「縁の形」に分類されている図形データを含むＷｅｂページを作成し、ユーザ端末２１…２ｎに送信する。
【００４４】
このＷｅｂページを受信したユーザ端末２１…２ｎではこのＷｅｂページが表示手段２０にて表示されると共に、該当する選択肢が入力手段２１を利用して選択され、選択情報としてユーザ端末側送受信手段２４及びサーバ側送受信手段１４を介してサーバ１に返信される（ステップ１０８）。サーバ１では、この選択情報に基づいて、絞り込み手段１２がメモリ（図示しない）に記憶されている植物テーブルから該当するデータを有する植物テーブルを絞り込み、メモリ（図示しない）に記憶する（ステップＳ１０９）。
【００４５】
次に、選択肢作成手段１１は、「葉脈」についての選択肢を作成しユーザ端末２１…２ｎに対して送信する（ステップＳ１１０）。「葉脈」の選択肢は、前述した「平行脈」、「３行脈」、「５以上掌状脈」、「羽状脈」である。選択肢作成手段１１はこれら選択肢及びデータベース１０に記憶されている「葉脈」に分類されている図形データを含むＷｅｂページを作成し、ユーザ端末２１…２ｎに送信する。
【００４６】
このＷｅｂページを受信したユーザ端末２１…２ｎではこのＷｅｂページが表示手段２０にて表示されると共に、該当する選択肢が入力手段２１を利用して選択され、選択情報としてユーザ端末側送受信手段２４及びサーバ側送受信手段１４を介してサーバ１に返信される（ステップ１１１）。サーバ１では、この選択情報に基づいて、絞り込み手段１２がメモリ（図示しない）に記憶されている植物テーブルから該当するデータを有する植物テーブルを絞り込み、メモリ（図示しない）に記憶する（ステップＳ１１２）。
【００４７】
次に、選択肢作成手段１１は、「落葉・常緑」についての選択肢を作成しユーザ端末２１…２ｎに対して送信する（ステップＳ１１３）。「落葉・常緑」の選択肢は、前述した「落葉樹」、「常緑樹」である。選択肢作成手段１１はこれら選択肢及びデータベース１０に記憶されている「落葉・常緑」に分類されている図形データを含むＷｅｂページを作成し、ユーザ端末２１…２ｎに送信する。
【００４８】
このＷｅｂページを受信したユーザ端末２１…２ｎではこのＷｅｂページが表示手段２０にて表示されると共に、該当する選択肢が入力手段２１を利用して選択され、選択情報としてユーザ端末側送受信手段２４及びサーバ側送受信手段１４を介してサーバ１に返信される（ステップ１１４）。サーバ１では、この選択情報に基づいて、絞り込み手段１２がメモリ（図示しない）に記憶されている植物テーブルから該当するデータを有する植物テーブルを絞り込み、メモリ（図示しない）に記憶する（ステップＳ１１５）。
【００４９】
次に、絞り込み手段１２は、ユーザ端末２１…２ｎが有する時計手段２２から年月日データを取得する（ステップＳ１１６）。なお、この時計手段２２は、サーバ１が有していても良い。絞り込み手段１２は、この年月日データに基づき、メモリ（図示しない）に記憶されている植物テーブルの絞り込みを行う（ステップＳ１１７）。この際には、植物テーブルの観葉期及び付帯情報の撮影年月日、ＧＰＳ情報の項目が利用されて絞り込みが行われる。落葉樹の場合、季節により葉の様子が変わるので非常に効果的である。
【００５０】
また、特定のユーザ端末の場合、位置情報がＧＰＳにより取得できる場合がある（ステップＳ１１８）。この場合には、ユーザ端末２１…２ｎの位置情報測定手段２３において位置情報を測定し（ステップＳ１１９）、サーバ１へと送信する。絞り込み手段１２は、この位置情報に基づいて、メモリ（図示しない）に記憶されている植物テーブルの絞り込みを行う（ステップＳ１２０）。この際には、付帯情報の分布地域／標高及び地域特性／土質等の項目が利用されて絞り込みが行われる。植物の繁殖地域はそれぞれ異なっており、その観測場所によっても絞り込みを行うことができる。なお、位置情報は、絞り込み手段１２によって位置の選択肢が作成されてユーザ端末２１…２ｎに提供され、入力手段２１によって、又は地図がＷｅｂページとしてサーバ１からユーザ端末２１…２ｎに送信され入力手段２１によって選択されることで発生する形式であっても構わない。
【００５１】
上記の結果、絞り込まれた植物テーブルが１０以下となる場合（ステップＳ１２１  ＹＥＳ）、該当する植物データを植物データ読み出し手段１３がデータベース１０から読み出し、ユーザ端末２１…２ｎへと送信し（ステップＳ１２２）、表示手段２０が送信された植物データを表示して終了する。なお、ステップＳ１０１〜１０３、ステップＳ１０４〜１０６、ステップＳ１０７〜１０９、ステップＳ１１０〜１１２、ステップＳ１１３〜１１５、ステップＳ１１６〜１１７のそれぞれの工程の順序は前後しても構わない。また、絞り込まれる植物テーブルの数については、任意に決定することができる。
【００５２】
絞り込まれた植物テーブルが１１以上である場合には（ステップＳ１２１  ＮＯ）、選択肢作成手段１１は、「樹高」についての選択肢を作成しユーザ端末２１…２ｎに対して送信する（ステップＳ１２３）。「樹高」の選択肢は、前述した「大高木」、「高木」、「小高木」、「低木」、「小低木」である。選択肢作成手段１１はこれら選択肢及びデータベース１０に記憶されている「樹高」に分類されている図形データを含むＷｅｂページを作成し、ユーザ端末２１…２ｎに送信する。
【００５３】
このＷｅｂページを受信したユーザ端末２１…２ｎではこのＷｅｂページが表示手段２０にて表示されると共に、該当する選択肢が入力手段２１を利用して選択され、選択情報としてユーザ端末側送受信手段２４及びサーバ側送受信手段１４を介してサーバ１に返信される（ステップ１２４）。サーバ１では、この選択情報に基づいて、絞り込み手段１２がメモリ（図示しない）に記憶されている植物テーブルから該当するデータを有する植物テーブルを絞り込み、メモリ（図示しない）に記憶する（ステップＳ１２５）。
【００５４】
この結果、絞り込まれた植物テーブルが１０以下となる場合（ステップＳ１２６  ＹＥＳ）、該当する植物データを植物データ読み出し手段１３がデータベース１０から読み出し、ユーザ端末２１…２ｎへと送信し（ステップＳ１２７）、表示手段２０が送信された植物データを表示して終了する。
【００５５】
絞り込まれた植物テーブルが１１以上である場合には（ステップＳ１２６  ＮＯ）、選択肢作成手段１１は、「花色」についての選択肢を作成しユーザ端末２１…２ｎに対して送信する（ステップＳ１２８）。「花色」の選択肢は、前述した「桃色」、「赤色」、「紫・青色」、「緑色」、「黄・橙色」、「白色」、「その他花色」であり、さらに「なし」の項目がある。選択肢作成手段１１はこれら選択肢及びデータベース１０に記憶されている「花色」に分類されている図形データを含むＷｅｂページを作成し、ユーザ端末２１…２ｎに送信する。
【００５６】
このＷｅｂページを受信したユーザ端末２１…２ｎではこのＷｅｂページが表示手段２０にて表示されると共に、該当する選択肢が入力手段２１を利用して選択され、選択情報としてユーザ端末側送受信手段２４及びサーバ側送受信手段１４を介してサーバ１に返信される（ステップ１２９）。サーバ１では、この選択情報に基づいて、絞り込み手段１２がメモリ（図示しない）に記憶されている植物テーブルから該当するデータを有する植物テーブルを絞り込み、メモリ（図示しない）に記憶する（ステップＳ１３０）。
【００５７】
この結果、絞り込まれた植物テーブルが１０以下となる場合（ステップＳ１３１  ＹＥＳ）、該当する植物データを植物データ読み出し手段１３がデータベース１０から読み出し、ユーザ端末２１…２ｎへと送信し（ステップＳ１３２）、表示手段２０が送信された植物データを表示して終了する。
【００５８】
絞り込まれた植物テーブルが１１以上である場合には（ステップＳ１３１  ＮＯ）、選択肢作成手段１１は、「花つき方」についての選択肢を作成しユーザ端末２１…２ｎに対して送信する（ステップＳ１３３）。「花つき方」の選択肢は、前述した「総状花序」、「集散花序」、「散房花序」、「散形花序」、「円錐花序」、「複散房花序」であり、さらに「花期」の項目がある。選択肢作成手段１１はこれら選択肢及びデータベース１０に記憶されている「花つき方」に分類されている図形データを含むＷｅｂページを作成し、ユーザ端末２１…２ｎに送信する。
【００５９】
このＷｅｂページを受信したユーザ端末２１…２ｎではこのＷｅｂページが表示手段２０にて表示されると共に、該当する選択肢が入力手段２１を利用して選択され、選択情報としてユーザ端末側送受信手段２４及びサーバ側送受信手段１４を介してサーバ１に返信される（ステップ１３４）。サーバ１では、この選択情報に基づいて、絞り込み手段１２がメモリ（図示しない）に記憶されている植物テーブルから該当するデータを有する植物テーブルを絞り込み、メモリ（図示しない）に記憶する（ステップＳ１３５）。
【００６０】
この結果、絞り込まれた植物テーブルが１０以下となる場合（ステップＳ１３６  ＹＥＳ）、該当する植物データを植物データ読み出し手段１３がデータベース１０から読み出し、ユーザ端末２１…２ｎへと送信し（ステップＳ１３７）、表示手段２０が送信された植物データを表示して終了する。
【００６１】
絞り込まれた植物テーブルが１１以上である場合には（ステップＳ１３６  ＮＯ）、選択肢作成手段１１は、「実形」についての選択肢を作成しユーザ端末２１…２ｎに対して送信する（ステップＳ１３８）。「実形」の選択肢は、前述した「丸型」、「卵形」、「豆形」、「マツカサ形」、「ドングリ形」、「ツバサ形」、「その他実形」であり、さらに「なし」の項目がある。選択肢作成手段１１はこれら選択肢及びデータベース１０に記憶されている「実形」の図形データを含むＷｅｂページを作成し、ユーザ端末２１…２ｎに送信する。
【００６２】
このＷｅｂページを受信したユーザ端末２１…２ｎではこのＷｅｂページが表示手段２０にて表示されると共に、該当する選択肢が入力手段２１を利用して選択され、選択情報としてユーザ端末側送受信手段２４及びサーバ側送受信手段１４を介してサーバ１に返信される（ステップ１３９）。サーバ１では、この選択情報に基づいて、絞り込み手段１２がメモリ（図示しない）に記憶されている植物テーブルから該当するデータを有する植物テーブルを絞り込み、メモリ（図示しない）に記憶する（ステップＳ１４０）。
【００６３】
この結果、絞り込まれた植物テーブルが１０以下となる場合（ステップＳ１４１  ＹＥＳ）、該当する植物データを植物データ読み出し手段１３がデータベース１０から読み出し、ユーザ端末２１…２ｎへと送信し（ステップＳ１４２）、表示手段２０が送信された植物データを表示して終了する。
【００６４】
絞り込まれた植物テーブルが１１以上である場合には（ステップＳ１４１  ＮＯ）、選択肢作成手段１１は、「実色」についての選択肢を作成しユーザ端末２１…２ｎに対して送信する（ステップＳ１４３）。「実色」の選択肢は、前述した「赤色」、「黄色」、「緑色」、「紫・青色」、「茶色」、「黒色」、であり、さらに「なし」の項目がある。選択肢作成手段１１はこれら選択肢及びデータベース１０に記憶されている「実色」の図形データを含むＷｅｂページを作成し、ユーザ端末２１…２ｎに送信する。
【００６５】
このＷｅｂページを受信したユーザ端末２１…２ｎではこのＷｅｂページが表示手段２０にて表示されると共に、該当する選択肢が入力手段２１を利用して選択され、選択情報としてユーザ端末側送受信手段２４及びサーバ側送受信手段１４を介してサーバ１に返信される（ステップ１４４）。サーバ１では、この選択情報に基づいて、絞り込み手段１２がメモリ（図示しない）に記憶されている植物テーブルから該当するデータを有する植物テーブルを絞り込み、メモリ（図示しない）に記憶する（ステップＳ１４５）。
【００６６】
この結果、絞り込まれた植物テーブルが１０以下となる場合（ステップＳ１４６  ＹＥＳ）、該当する植物データを植物データ読み出し手段１３がデータベース１０から読み出し、ユーザ端末２１…２ｎへと送信し（ステップＳ１４７）、表示手段２０が送信された植物データを表示して終了する。
【００６７】
絞り込まれた植物テーブルが１１以上である場合には（ステップＳ１４６  ＮＯ）、選択肢作成手段１１は、「冬芽・頂芽」についての選択肢を作成しユーザ端末２１…２ｎに対して送信する（ステップＳ１４８）。「冬芽・頂芽」の選択肢は、前述した「冬芽開出」、「冬芽やや開出」、「冬芽伏生」、「頂芽小さい」、「頂芽同形」、「頂芽やや大」、「頂芽大」である。選択肢作成手段１１はこれら選択肢及びデータベース１０に記憶されている「冬芽・頂芽」に分類されている図形データを含むＷｅｂページを作成し、ユーザ端末２１…２ｎに送信する。
【００６８】
このＷｅｂページを受信したユーザ端末２１…２ｎではこのＷｅｂページが表示手段２０にて表示されると共に、該当する選択肢が入力手段２１を利用して選択され、選択情報としてユーザ端末側送受信手段２４及びサーバ側送受信手段１４を介してサーバ１に返信される（ステップ１４９）。サーバ１では、この選択情報に基づいて、絞り込み手段１２がメモリ（図示しない）に記憶されている植物テーブルから該当するデータを有する植物テーブルを絞り込み、メモリ（図示しない）に記憶する（ステップＳ１５０）。
【００６９】
この結果、絞り込まれた植物テーブルが１０以下となる場合（ステップＳ１５１  ＹＥＳ）、該当する植物データを植物データ読み出し手段１３がデータベース１０から読み出し、ユーザ端末２１…２ｎへと送信し（ステップＳ１５２）、表示手段２０が送信された植物データを表示して終了する。
【００７０】
絞り込まれた植物テーブルが１１以上である場合には（ステップＳ１５１  ＮＯ）、選択肢作成手段１１は、「とげ」についての選択肢を作成しユーザ端末２１…２ｎに対して送信する（ステップＳ１５３）。「とげ」の選択肢は、前述した「茎針」、「葉針」、「托葉針」、「刺状突起」、「剛毛針」である。選択肢作成手段１１はこれら選択肢及びデータベース１０に記憶されている「とげ」に分類されている図形データを含むＷｅｂページを作成し、ユーザ端末２１…２ｎに送信する。
【００７１】
このＷｅｂページを受信したユーザ端末２１…２ｎではこのＷｅｂページが表示手段２０にて表示されると共に、該当する選択肢が入力手段２１を利用して選択され、選択情報としてユーザ端末側送受信手段２４及びサーバ側送受信手段１４を介してサーバ１に返信される（ステップ１５４）。サーバ１では、この選択情報に基づいて、絞り込み手段１２がメモリ（図示しない）に記憶されている植物テーブルから該当するデータを有する植物テーブルを絞り込み、メモリ（図示しない）に記憶する（ステップＳ１５５）。
【００７２】
この結果、絞り込まれた植物テーブルが１０以下となる場合（ステップＳ１５６  ＹＥＳ）、該当する植物データを植物データ読み出し手段１３がデータベース１０から読み出し、ユーザ端末２１…２ｎへと送信し（ステップＳ１５７）、表示手段２０が送信された植物データを表示して終了する。
【００７３】
絞り込まれた植物テーブルが１１以上である場合には（ステップＳ１５６  ＮＯ）、選択肢作成手段１１がＷｅｂページ上に撮影画像を送信するか否かの選択を行わせる旨の選択肢を作成し、ユーザ端末２１…２ｎへと送信する。
【００７４】
撮影画像を送信するとの選択があった場合（ステップＳ１５８  ＹＥＳ）、選択肢作成手段１１は対象の植物の幹、花、葉（表・裏）の撮影画像を送信する旨のアドバイサリーをＷｅｂページに含めてユーザ端末２１…２ｎに送信する。ユーザ端末２１…２ｎは、カメラ等の撮影手段２５を利用してこれらの画像を撮影し、サーバ１へとユーザ端末側送受信手段２４を利用して送信する。
【００７５】
画像を受けとったサーバ１では、画像検索手段１５がメモリ（図示しない）に記憶されている植物テーブルを参考に、データベース１０に記憶されている植物データの画像と照合して植物データの絞り込みを行う。絞り込まれた植物データは、ユーザ端末２１…２ｎに送信され、終了する（ステップＳ１５９）。
【００７６】
撮影画像を送信しない場合（ステップＳ１５８  ＮＯ）、メモリ（図示しない）に記憶されている植物テーブルに該当する植物データから「樹皮」、「花」及び「葉」についての画像データを植物データ読み出し手段１３が読み出す。選択肢作成手段１１は、読み出された「樹皮」、「花」及び「葉」の画像データを選択肢として含むＷｅｂページを作成し、ユーザ端末２１…２ｎに送信する（ステップＳ１６０）。
【００７７】
なお、前述した年月日データを利用して、選択肢作成手段１１が選択肢を作成する前に、予め絞り込み手段１２が画像データの絞り込みを行うと、検索時に合った画像データが送信されることなり、より好ましくなる。標高や地域によって同じ植物であっても異なった植生を示す植物などもあることから、前述した位置情報による絞込みが行われることも好ましい。
【００７８】
このＷｅｂページを受信したユーザ端末２１…２ｎではこのＷｅｂページが表示手段２０にて表示されると共に、該当する選択肢が入力手段２１を利用して選択され、選択情報としてユーザ端末側送受信手段２４及びサーバ側送受信手段１４を介してサーバ１に返信される（ステップ１６１）。サーバ１では、この選択情報に基づいて、絞り込み手段１２がメモリ（図示しない）に記憶されている植物テーブルから該当するデータを有する植物テーブルを絞り込み、メモリ（図示しない）に記憶する（ステップＳ１６２）。
【００７９】
「樹皮」、「花」及び「葉」の画像データによる検索の結果、絞り込み結果が１０以下である場合（ステップＳ１６３  ＹＥＳ）、該当する植物データを植物データ読み出し手段１３がデータベース１０から読み出し、ユーザ端末２１…２ｎへと送信し（ステップＳ１６５）、表示手段２０が送信された植物データを表示する。
【００８０】
この際、該当する植物データがある場合には（ステップＳ１６６  ＹＥＳ）、終了する。無い場合には（ステップＳ１６６  ＮＯ）、ユーザ端末２１…２ｎから不明植物である旨の入力が入力手段２１よりなされてサーバ１に通知される。この際、メモリ（図示しない）に記憶されている植物テーブルを、不明植物データ登録手段１６が不明植物テーブルとして記憶する（ステップＳ１６７）。
【００８１】
なお、不明植物データ登録手段１６に登録するための入力表示は、サーバ１から提供される植物データが表示されるＷｅｂページに含まれる必要があり、植物データ読み出し手段１３はこの入力表示を含め、ユーザ端末２１…２ｎに植物データを提供する。
【００８２】
絞り込み結果が１１以上である場合（ステップＳ１６３  ＮＯ）、選択肢作成手段１１は該当する植物データを表示するか否かを選択させるＷｅｂページを作成し、ユーザ端末２１…２ｎへと送信する。
【００８３】
ユーザ端末２１…２ｎから表示するとの入力情報があった場合（ステップＳ１６４  ＹＥＳ）、植物データをユーザ端末２１…２ｎに対して送信し（ステップＳ１６５）、表示しないとの入力情報があった場合（ステップＳ１６４  ＮＯ）には、ステップＳ１６７において、不明植物データ登録が行われる。
【００８４】
不明植物データ登録が行われた植物テーブルは、専門家等による検討が行われる。この検討結果は、サーバ１にローカルで接続された端末（図示しない）の入力手段から入力され、新規植物である場合には、植物データ、植物テーブル及び図形データが新たにデータベースに登録されて検索が可能となる。
【００８５】
新規植物で無い場合には、不明植物データ登録を行ったユーザ端末２１…２ｎに植物データ読み出し手段１３が該当する植物データをデータベース１０から読み出し、送信するのが望ましい。
【００８６】
なお、植物データ、植物テーブル及び図形データの詳細な項目はここに記載された項目に限られず、より細分化されていても構わない。また、新規植物が登録される際等に選択肢が増えることがあっても構わない。
【００８７】
本実施例では簡便のため、不明植物データ登録は画像データ選択後の植物データ表示時のみを記載したが、それ以前に該当する植物データがユーザ端末２１…２ｎに送信される際にも、不明植物である旨の入力表示がＷｅｂページに含まれていることがより望ましい。
【００８８】
また、植物データが提供される際の絞り込まれた植物テーブルの数は１０項目として記載しているが、自由に変更可能であるのが望ましい。
【００８９】
また、ステップＳ１２０〜１２２、ステップＳ１２３〜１２７、ステップＳ１２８〜１３２、ステップＳ１３３〜１３７、ステップＳ１３８〜１４２、ステップＳ１４３〜１４７、ステップＳ１４８〜１５２、ステップＳ１５３〜１５７の選択肢の提供順序は前後しても構わない。
【図面の簡単な説明】
【００９０】
【図１】本発明に係る、全体構成図及びサーバ、ユーザ端末の内部構成の一例である。
【図２】本発明に係る、サーバ内のデータベースに含まれる植物テーブル及び植物データの項目図の一例である。
【図３】本発明に係る、植物テーブルの一例である。
【図４】本発明に係る、植物データの一例である。
【図５】本発明に係る、植物データの一例である。
【図６】本発明に係る、植物データの一例である。
【図７】本発明に係る、植物データの一例である。
【図８】本発明に係る、図形データの一例である。
【図９】本発明に係る、本システムの流れを示すフローチャートの一例である。
【図１０】本発明に係る、本システムの流れを示すフローチャートの一例である。
【図１１】本発明に係る、本システムの流れを示すフローチャートの一例である。
【図１２】本発明に係る、ユーザ端末に表示される選択画面の一例である。
【符号の説明】
【００９１】
１            サーバ
２            ユーザ端末
１０          データベース
１１          選択肢作成手段
１２          絞り込み手段
１３          植物データ読み出し手段
１４          サーバ側送受信手段
１５          画像検索手段
１６          不明植物データ登録手段
２０          表示手段
２１          入力手段
２２          時計手段
２３          位置情報測定手段
２４          ユーザ端末側送受信手段
２５          撮影手段
【図１】
2006139703.tif 000003
【図２】
2006139703.tif 000004
【図３】
2006139703.tif 000005
【図４】
2006139703.tif 000006
【図５】
2006139703.tif 000007
【図６】
2006139703.tif 000008
【図７】
2006139703.tif 000009
【図８】
2006139703.tif 000010
【図９】
2006139703.tif 000011
【図１０】
2006139703.tif 000012
【図１１】
2006139703.tif 000013
【図１２】
2006139703.tif 000014